(57)【要約】【課題】美観と支持強度とに優れた縦横両用の額縁を提供する。【手段】額縁は額本体１と裏板２とから成っている。額本体１は外周壁４とインナー支持部５とを有する溝形であり、内部には中間リブ１５が形成されている。装飾体Ａの位置決めは中間リブ１５で成される。中間リブ１５より外側に係合部１９が形成されている一方、裏板２には、係止部１９を挟み保持する係止辺２２，２３が形成されている。立て置きのためのスタンド片６は設置面に対して上下方向に延びており、保持片７によって起こし状態が保持される。スタンド片６はヒンジ部２７が上下に延びているため高い安定性を確保できる。また、裏板２は額本体１の外周壁４で囲われているため美観に優れている。【選択図】図４
2009153680.tif 000002
【特許請求の範囲】
【請求項１】
４本のフレームを有する四角形の額本体と、前記額本体に裏側から重なって装飾体を脱落不能に保持する裏板とが備えられており、前記額本体と裏板とはそれぞれ合成樹脂の一体成形品である、という構成において、
前記額本体は前面を構成する前板を備えており、この前板に、外周を構成する外周壁と、前記外周壁の内側において前板から後ろ向きに突出した中間リブと、前記中間リブよりも内側に位置していて装飾体が重なるインナー支持部とを一体に設けており、前記中間リブをインナー支持部よりも後ろ向きに突出させることによって装飾体の位置決めがなされている一方、
前記裏板は額本体における外周壁の内側に嵌合するようになっており、前記裏板には、額本体のうち外周壁と中間リブとの間において前向きに突出する係止部が設けられている一方、前記額本体には、前記係止部が嵌合する係合部が設けられており、係止部と係合部とは何れか一方又は両方が弾性変形することで嵌脱が許容されており、
更に、前記裏板には、壁に掛けるための紐類を止める紐止め部と、水平面に立て置くための自立手段とが一体に設けられており、前記自立手段は、前記水平面を基準にして上下方向に延びるヒンジ部で裏板に連結されたスタンド片と、前記スタンド片を裏板から後ろ向き突出した状態に保持するために裏板にヒンジ部にて連結された保持片とから成っており、前記スタンド片と保持片とはヒンジ部を支点に起こすことで裏板の裏側に突出するようになっており、かつ、前記スタンド片と保持片とには互いに嵌まり合って当該スタンド片と保持片とを裏板から突出した姿勢に保持する嵌合手段が形成されている、
合成樹脂製額縁。
【請求項２】
前記額本体と裏板とは長辺部と短辺部とを有する長方形に形成されており、前記裏板に、縦長姿勢用の第１紐止め部及び第１自立手段と横長姿勢用の第２紐止め部及び第２自立手段とが形成されており、更に、前記自立手段を構成するスタンド片のヒンジ部と保持片のヒンジ部とは互いに平行に延びており、かつ、前記裏板には人が指先を挿入して当該裏板を掴むことのできる指掛け穴が空いている、
請求項１に記載した合成樹脂製額縁。
【発明の詳細な説明】
【技術分野】
【０００１】
本願発明は、合成樹脂製の額縁に関するものである。
【背景技術】
【０００２】
額縁は絵画や写真等のシート状の装飾体を飾るものであり、一般には四角形になっていて、前後に開口した額本体とこれに裏側から重なる裏板とを備えている。そして、壁に掛ける使用方法と机上のような水平面に立て置く使用方法とを自在に選択したいとの要望があり、かかる要望に応えるため多くの提案がなされている。
【０００３】
例えば特開平１０−２０１５８６公報（特許文献１）には、額本体と裏板とを一体化して前から装飾体を嵌め込むようにしたタイプの樹脂シート製額縁において、裏板に、壁掛けに使用する紐を付けるための切欠きを設けると共に、自立用の脚部と脚支持片とを一体に形成することが開示されている。
【０００４】
この特許文献１において、例えば机上面を基準にして説明すると、脚部は水平状に延びるヒンジ部を介して裏板に一体に繋がっており、脚部はヒンジ部から下方に延びており、製造した段階では脚部は裏板の一部を構成していて脚部の周囲のうちヒンジ部を除いた部分は切り込みとミシン線とが形成されており、使用に際してはミシン線を切って脚部を起こすことになる。他方、脚支持片は脚部の下方に位置していて上端の水平状ヒンジ部を介して裏板に一体に繋がっていく。更に、脚支持片はヒンジ部と反対側の自由端部が茸形になっており、茸形の自由端部を脚部に形成したスリットに嵌め込むことで脚部は裏板から裏側に倒れた姿勢に保持される。
【０００５】
更に特許文献１には、長方形の額縁において、紐用切欠き部と自立用脚部とを姿勢を変えて一対ずつ設けることにより、縦長姿勢と縦長姿勢とのいずれにおいても壁掛け状態と机上立て置き状態とを選択可能と成している。
【０００６】
他方、額本体を合成樹脂製とする場合、額本体の全体を射出成形法で一体成形する場合と、押し出し品を所定の長さに切断して４本のフレームを製造して隣り合ったフレームＬ形のジョイントで接続する場合とがあり、前者の一体成形タイプは組立の手間がないと共にコーナーの継ぎ目がないため美観に優れているという利点がある。
【０００７】
そして、額本体と裏板との両方を一体成形品とした場合の両者の嵌め合わせ手段として、実用新案登録第３０５５８０１号公報（特許文献２）には、額本体のうち装飾体が重なる部分の外側の箇所に後ろ向きのリブを設け、このリブの内側面に内向き突起を設けて、裏板をその弾性に抗して変形させることで当該裏板の終端を内向き突起に係合させることが記載されている。
【０００８】
他方、実開平７−２０９１６号（特許文献３）には、額本体（カバー部材）と裏板（ベース部材）との嵌着手段として、額本体を外周壁が存在する後ろ向き開口の樋状に形成する一方、裏板には額本体における外周壁の内面に重なるカバー係止突起を飛び飛びの状態で多数設け、カバー係止突起に形成した溝と額本体における外周壁に形成した係止突起とを嵌め合わせることが開示されている。
【特許文献１】特開平１０−２０１５８６公報
【特許文献２】実用新案登録第３０５５８０１号公報
【特許文献３】実開平７−２０９１６号公報
【発明の開示】
【発明が解決しようとする課題】
【０００９】
特許文献１では長方形を額本体を縦長姿勢と横長姿勢とのいずれにおいても机上等に自立させ得るため便利であるが、脚部のヒンジ部は机上面と平行になっているため曲がり変形しやすく、このため安定性を確保し難くなる虞がある。
【００１０】
他方、特許文献１は、構造はごく簡単である利点を有するものの、裏板にはその取り外しに際して指を掛けにくいという問題がある。また、特許文献３では、額本体の外周部が裏板の外周部に重なっており、裏板の端面が額縁の外周に露出するため美観が劣るという問題がある。
【００１１】
本願発明は、このような現状を改善すべく成されたものである。
【課題を解決するための手段】
【００１２】
本願発明の額縁は、４本のフレームを有する四角形の額本体と、前記額本体に裏側から重なって装飾体を脱落不能に保持する裏板とが備えられており、前記額本体と裏板とはそれぞれ合成樹脂の一体成形品である、という基本構成になっている。
【００１３】
そして、前記額本体は前面を構成する前板を備えており、この前板に、外周を構成する外周壁と、前記外周壁の内側において前板から後ろ向きに突出した中間リブと、前記中間リブよりも内側に位置していて装飾体が重なるインナー支持部とを一体に設けており、前記中間リブをインナー支持部よりも後ろ向きに突出させることによって装飾体の位置決めがなされている一方、前記裏板は額本体における外周壁の内側に嵌合するようになっており、前記裏板には、額本体のうち外周壁と中間リブとの間において前向きに突出する係止部が設けられている一方、前記額本体には、前記係止部が嵌合する係合部が設けられており、係止部と係合部とは何れか一方又は両方が弾性変形することで嵌脱が許容されている。
【００１４】
更に、前記裏板には、壁に掛けるための紐類を止める紐止め部と、水平面に立て置くための自立手段とが一体に設けられており、前記自立手段は、前記水平面を基準にして上下方向に延びるヒンジ部で裏板に連結されたスタンド片と、前記スタンド片を裏板から後ろ向き突出した状態に保持するために裏板にヒンジ部にて連結された保持片とから成っており、前記スタンド片と保持片とはヒンジ部を支点に起こすことで裏板の裏側に突出するようになっており、かつ、前記スタンド片と保持片とには互いに嵌まり合って当該スタンド片と保持片とを裏板から突出した姿勢に保持する嵌合手段が形成されている。
【００１５】
本願発明は更に好適な構成を含んでいる。請求項２の構成はその一例であり、この請求項２では、請求項１において、前記額本体と裏板とは長辺部と短辺部とを有する長方形に形成されており、前記裏板に、縦長姿勢用の第１紐止め部及び第１自立手段と横長姿勢用の第２紐止め部及び第２自立手段とが形成されており、更に、前記自立手段を構成するスタンド片のヒンジ部と保持片のヒンジ部とは互いに平行に延びており、かつ、前記裏板には人が指先を挿入して当該裏板を掴むことのできる指掛け穴が空いている。
【発明の効果】
【００１６】
本願発明では、裏板は額本体の外周壁で囲われているため、裏板の端面（外周面）が外側に露出することはなく、このため美観に優れている。また、特許文献３では額本体の外周壁に係止突起が形成されているため、額本体と裏板との嵌め合わせによって額本体の外周壁が外側に膨れる現象が生じる虞があるが、本願発明では、額本体と裏板とは、額本体の外周壁と中間リブとの間に位置した係止部と係合部との嵌め合わせによって重なり合った状態に保持されているため、係止部と係合部との嵌め合わせによって外周壁が変形する虞は全く無く、この面からも美観に優れていると言える。
【００１７】
また、机上等の水平面に立て置くに際して額縁の荷重はスタンド片に作用するが、スタンド片のヒンジ部が水平面に対して上下長手（鉛直方向）に延びているため、荷重に対する突っ張り機能が高く（換言すると曲げ作用に対する断面係数が大きく）なっている。このため、例えばＡ４版や６つ切より大きいサイズの装飾体を飾る額縁であっても安定した状態に保持できる。
【００１８】
請求項２のように構成すると、額縁は縦長の姿勢と横長の姿勢とのいずれにおいても壁掛け状態と自立状態とに保持できるため、ユーザーフレンドリー性に優れている。また、スタンド片のヒンジ部と保持片のヒンジ部とを平行に延びるように形成すると、スタンド片の上下位置や上下長さは保持片に影響されることがなくて、スタンド片の長さを長くできると共に下端を裏板のできるだけ下部に位置させることができるため、スタンド片を高い強度に確保することが可能になる。更に請求項２では、裏板に指を掛ける穴が空いていることにより、額本体への裏板の着脱に際して額本体をしっかりと掴むことができるため、着脱の作業を楽に行える利点がある。
【発明を実施するための最良の形態】
【００１９】
次に、本願発明の実施形態を図面に基づいて説明する。図１〜７では第１実施形態を示し、図８では第２実施形態（変形例）を示している。以下、順次説明する。
【００２０】
(1).額縁の概要
図１のうち（Ａ）は額縁を前方から見た斜視図、（Ｂ）は額縁を裏から見た斜視図である。額縁は、ポリプロピレン等の合成樹脂を素材とした射出成形品である額本体１と裏板２とから成っており、両者で装飾体Ａと台紙Ｂとが挟み固定されている。
【００２１】
額本体１は平行に延びる２本ずつの長辺フレーム１ａ及び短辺フレーム１ｂを有して前後開口の長方形に形成されている。各フレーム１ａ，１ｂは前板３を有しており、前板３の外周には後ろ向きの外周壁４が連続しており、前板３の内周には装飾体Ａが重なる後ろ向き突出のインナー支持部５が連続している。前板３のうちインナー支持部５に連続する内周部は内側に傾斜している。
【００２２】
他方、裏板２は額本体１における外周壁４の内側にきっちり嵌まり込んでいる。従って、敢えて説明するまでもなく裏板２は額本体１と相似形である。裏板２は全体的には平板に近い形状であり、外周部を除いた部分は若干の寸法だけ額本体１の内部側に段落ちしている。従って、裏板２はごく浅いトレー状になっている。額本体１の外周壁４と同一面を成す外周部は符号２ａで表示して段落ち部と区別している。
【００２３】
裏板２のうち一つの短辺に寄った箇所には、額縁を縦長姿勢で立て置くための第１スタンド片６と第１保持片７とが一体に形成されており、裏板２のうち一つの長辺に寄った箇所には、額縁を横長姿勢で立て置くための第２スタンド片８と第２保持片９とが一体に形成されており、また、裏板２のうち第１保持片６と反対側の短辺に寄った部位には２つの第１紐掛け穴１０とこれを挟んだ２つの第１指掛け穴１１とが空いており、裏板２のうち第１保持片８と反対側の長辺に寄った部位には２つの第２紐掛け穴１２とこれを挟んだ２つの第２指掛け穴１３とが空いている。
【００２４】
紐掛け穴１０，１２は請求項に記載した紐止め部の一例であり、２つの第１紐掛け穴１０は裏板２の長手中心線に沿って並んでおり、２つの第２紐掛け穴１２は裏板２の短手中心線に沿って並んでいる。第１紐止め穴１０を短辺方向に並べて第２紐掛け穴１２を長辺方向に並べることも可能である。また、指掛け穴１１，１２を紐止め部に兼用することや、紐止め部として穴に代えて側面視Ｌ形等の爪片を形成するといったことも可能である。
【００２５】
なお、スタンド片６，８と保持片７，９とは裏板２の一部とも言えるので、正確には裏板２がスタンド片６，８と保持片７，９とこれが連結された本体部とで構成されていると言うべきであるが、本実施形態（及び請求項）では、基本的には、裏板２の文言はスタンド片６，８及び保持片７，９を除いた部分に用いている。
【００２６】
(2).構造の詳細
次に、図２以下の図面も参照して構造の詳細を説明する。図２は額本体１を裏から見た背面図、図３は裏板２を前から見た正面図、図４は額本体１は裏から見て裏板２は前から見た分離斜視図、図５のうち（Ａ）は図１（Ｂ）の V-V視分離断面図、（Ｂ）は図１（Ｂ）の V-V視断面図、（Ｃ）は（Ｂ）のＣ−Ｃ視断面図、図６は図４のVI−VI視断面図、図７は使用状態を示す図である。
【００２７】
既述のとおり、額本体１は前板３と外周壁４とインナー支持部５とを備えているが、例えば図４から明瞭に理解できるように、前板３の裏面にはインナー支持部５に寄った状態で後ろ向きに突出した中間リブ１５が一体に形成されている。中間リブ１５は四周に延びており、図５に示すように、中間リブ１５によって装飾物Ａ及び台紙Ｂの位置決めがなされている。また、中間リブ１５と外周壁４とは飛び飛びに配置した補強リブ１６で連結されている。当然ながら、中間リブ１５と外周壁４との間の箇所は外向きに開口した環状溝になっている。
【００２８】
なお、インナー支持部５はリブ状に形成されているが、中間リブ１５の内側の全体に広がるベタ状態に形成したり、或いは、図３（Ｂ）に一点鎖線５′で示すように中間リブ１５の内側にリブ状のインナー支持部を複数条形成する、といったことも可能である。
【００２９】
図５に示すように、裏板２の段落ち部は中間リブ１５で支持されている。また、図２〜５に示すように、額本体１における前板３の４つのコーナー部には後ろ向きに突出した筒部１７が一体に形成されている一方、裏板２の外周部２ａの各コーナー部には筒部１７に嵌まるボス体１８が前向きに突設されており、ボス体１８と筒部１７との嵌合により、額本体１と裏板２とは上下左右の位置決めが正確にされている。
【００３０】
額本体１のうち短辺箇所の中間部と長辺箇所の２箇所とには、中間リブ１５から外周壁４の側に突出したコ字状（枠状）の係合部１９が一体に形成されている。係合部１９は中間リブ１５に沿って長く延びており、係合部１９と中間リブ１５とで囲われた箇所は細長い長方形の係合空間２０になっている。
【００３１】
他方、裏板２には各係合部１９に対応した係止部２１が形成されている。各係止部２１は、係合部１９の中間部に外側から重なる１つの第１係止片２２と、第１係止片２２を挟んだ両側の位置で係合空間２０に入り込む２つの第２係止片２３とから成っており、第１係止片２２と第２係止片２３とで係合部１９を挟んでいる。そして、図５に示すように、第１係止片２２の先端部に突起２４を内向き突設する一方、係合部１９には突起２４が嵌まる凹所２５を形成している。係止片２２，２３は請求項に記載した係止部の一例である。
【００３２】
第１係止片２２と係合部１９とを弾性変形させて突起２４と凹所２５とを嵌脱させることにより、裏板２を額本体１にワンタッチ的に着脱させることができる。裏板２のうち２つの第２係合片２３の間には窓穴２６が空いているが、この窓穴２６は、第１係止片２２に突起２４を形成するに際しての成形時の型抜きの容易性を図ることを主目的としている。第２係止片２３は連続して延びる形態と成すことも可能であるが、２つに分離すると変形しやくすなるため、裏板２を嵌め込みしやすくなる利点がある。
【００３３】
係合部１９と係止部２１とは長辺部に２カ所ずつ設けているが、各辺部に１カ所ずつ設けてもよいし、逆に、各辺部に複数箇所ずつ設けてもよい。また、係合部１９は中間リブ１５から分離して設けたり、或いは、外周壁４に一体に連続させたりすることも可能である。
【００３４】
裏板２には、額本体１のインナー支持部５に向けて突出した低い高さの補助リブ２８が形成されており、図５（Ｂ）に示すように、台紙Ｂには補助リブ２８が当たっている。補助リブ２８の存在によって裏板２の剛性が高くなっていると共に、台紙Ｂが変形することを防止して装飾体Ａをフラットな状態に保持できる（裏板２が台紙Ｂに面当たりしていると、裏板２の反りがあるとこれが台紙Ｂに波及して装飾体Ａに凹凸が生じることがある。）。
【００３５】
次に、スタンド片６，８と保持片７，９とを説明する。図３〜５に示すように、第１スタンド片６は裏板２の長中方向に延びる薄肉状のヒンジ部（Ｖ溝部）２７を介して裏板２に一体に連結されており、第１スタンド片６の周囲のうちヒンジ部２７を除いた箇所は前後に開口したスリット３０によって裏板２と分断されている。そして、第１スタンド片６はスリット３０を横切る複数の細いブリッジ３１によって裏板２に連結されている。従って、第１スタンド片は前方から指で押してブリッジ部３１を千切ることにより、裏板２から後ろ向きに突出させることができる。
【００３６】
第１スタンド片６は上端が幅狭で下端が幅広の台形状になっており、また、下端部は自由端寄りの約半分程度が下向きに突出した形態になっている。そして、補助リブ２８は下向き突出部６ａの箇所で分断されている。第１スタンド片６に下向き突出部６ａを設けているのは、机上面への当接点をできるだけ低くすることで立て置きしたときの後傾角度をできるだけ小さくしつつ、補助リブ２８の分断長さをできるだけ短かくして装飾体Ａ及び台紙Ｂの押さえ機能を確保するためである。
【００３７】
第１スタンド片６のヒンジ部２７は裏板２の長手中心線上に位置しており、第１保持片７は、長手中心線を挟んで第１スタンド片６と反対側に位置している。第１保持片７もヒンジ部３２を介して裏板２に連結されており、このヒンジ部３２は第１スタンド片６のヒンジ部２７と平行に延びている。また、第１保持辺７も第１スタンド片６と同様にスリット３３で囲われていると共に、自由端部の１カ所が細いブリッジ部３４で裏板２に連結されている。従って、第１保持片７は手前から指で押してブリッジ部３４を千切ることで裏板２の裏側に突出した姿勢に起こすことができる。
【００３８】
第１保持片７は第１スタンド片６と反対方向に長く延びる形状であり、この第１保持片７の自由端部には、一対のくびれ溝３５で区分された台形状の爪部７ａが形成されており、このため第１保持片７の先端部は茸形になっている一方、第１スタンド片６には、第１保持片７を起こした状態で爪部７ａが嵌まり込む係合穴３６が空けられている。本実施形態では、爪部７ａと係合穴３６とが請求項に記載した嵌合手段を構成している。
【００３９】
係合穴３６はヒンジ部２７に近い部分が幅広の台形状に形成されており、全体の幅は第１保持片７における爪７ａの全幅と略同じ寸法に設定されている。そして、図７（Ａ）（Ｂ）に示すように、主として第１保持片７を撓み変形させることでその爪部７ａが第１スタンド片６の係合穴３６に嵌まり込み、かつ、爪部７ａは係合穴３６の縁部に引っ掛かっている。係合穴３６が台形状であることにより、爪部７ａは係合穴３６への嵌め込みが容易でありながら、係合穴３６の内周縁にきっちり引っ掛かり、これにより、第１スタンド片６と第１保持片７とが裏板２の後方に突出した状態が保持される。
【００４０】
第２スタンド片８及び第２保持片９もヒンジ部３７，３８を介して裏板２に連結されており、かつ、スリット３９，４０で裏板２と分断されていると共に、ブリッジ部４１，４２によって裏板２に連結されている。第２スタンド片８のヒンジ部３７は裏板２の短手中心線に沿って延びている。符号８ａは立て置いたときに下部となる部分、符号９ａは第２保持片９の爪部である。
【００４１】
(3).まとめ
以上の構成において、スタンド片６，８を裏側に起こして保持片７，９で起こし状態を保持することにより、図７（Ｃ）に示すように、額縁は机上等の水平面Ｈに傾斜姿勢で立て置くことができる。また、図７（Ｄ）に示すように、壁Ｗに掛ける場合は、壁Ｗに支持部材Ｓ１と紐掛け部材Ｓ２とを取り付ければよい。
【００４２】
そして、裏板２は額本体１で囲われているため美観に優れており、また、立て置いた状態でスタンド片６，８のヒンジ部２７，３７は上下方向（鉛直方向）に延びているため高い支持強度を確保できて安定性に優れている。本実施形態では、第１スタンド片６，７におけるヒンジ部２７，３７の長さに比べて第２保持片７，９の幅寸法が小さいため、両者を嵌め合わせた状態においてスタンド片６，８は殆ど変形せずに専ら保持片７，９が図７（Ｂ）に示すように大きく曲がり変形しており、このため、額縁をしっかりと支持できると共に、保持片７，９の弾性変形を利用して爪部７ａ，９ａと係合穴３６との嵌合状態をしっかりと保持することができる。この点は本実施形態の利点の一つである。
【００４３】
また、本実施形態のように係合部２１を枠状に構成すると、第２係止片２３が係合空間２０に嵌まることで裏板２の位置決めがなされており、このため裏板２をガタ付きのない状態で額本体１にしっかりと装着できる利点がある。
【００４４】
(4).他の実施形態
図８では第２実施形態を示している。この実施形態では保持片７，９のヒンジ部３２，３７はスタンド片６，８のヒンジ部２７，３７と直交した方向に延びている。また、保持片７，９はその爪部７ａ，９ａがスタンド片６，８に入り込んだ状態に成形されている。そして、この実施形態では、使用に際しては、まず保持片７，９を起こし、次いでスタンド片６，８を起こして係合穴３６に爪部７ａ，９ａを嵌め込むことになる。この実施形態では、爪部７ａ，９ａと係合穴３６との嵌合状態がしっかりと保持されるように、係合穴３６は若干斜めに形成している。
【００４５】
(5).その他
本願発明は上記の実施形態の他にも様々に具体化できる。例えば係止部と係合部とは様々の態様を採用できる。また、裏板２の一つの辺部に複数の自立手段を設けたり、或いは、裏板２の２つの辺部に複数の自立手段を設けることも可能である。額縁は正面視正方形でもよいことは言うまでもない。
【図面の簡単な説明】
【００４６】
【図１】額縁の外観斜視図である。
【図２】額本体の背面図である。
【図３】裏板の正面図である。
【図４】額本体は裏から見て裏板は前から見た分離斜視図である。
【図５】（Ａ）は図１（Ｂ）の V-V視分離断面図、（Ｂ）は図１（Ｂ）の V-V視断面図、（Ｃ）は（Ｂ）のＣ−Ｃ視断面図である。
【図６】図４のVI−VI視断面図である。
【図７】使用状態を示す図である。
【図８】第２実施形態を示す図である。
【符号の説明】
【００４７】
１  額本体
２  裏板
３  前板
４  外周壁
５  インナー支持部
６，８  スタンド片
７，９  保持片
１０，１１  紐止め部の一例としての紐掛け穴
１２，１３  指掛け穴
１５  中間リブ
１９  係合部
２１  係止部
２７，３２，３７，３８  ヒンジ部
３０，３１，４０，４１  スリット
３１，３４，４１，４２  ブリッジ部
【図１】
2009153680.tif 000003
【図２】
2009153680.tif 000004
【図３】
2009153680.tif 000005
【図４】
2009153680.tif 000006
【図５】
2009153680.tif 000007
【図６】
2009153680.tif 000008
【図７】
2009153680.tif 000009
【図８】
2009153680.tif 000010